(57)【要約】      （修正有）【課題】ＮＦＣタグシールに携帯電話のソフトウェアを組み合わせ、ホームデバイスの消耗品の監視及び警告を行う、ホームデバイスの消耗品の管理システムを提供する。【解決手段】ホームデバイスの消耗品の管理システムは、ステッカー、少なくとも１つの手持ち式装置２及びクラウドサーバー設備３を備える。ステッカーは、離型紙及びステッカー本体１２を有する。離型紙上には、アクティベートラベルが設けられる。アクティベートラベルは、ステッカー本体１２により覆われる。ステッカー本体１２は、ＮＦＣ回路を有し、定期的に交換しなければならない消耗品又は定期的に洗浄しなければならないホームデバイスに前記ステッカー本体１２を貼り付ける。手持ち式装置２は、クラウドサーバー設備３と通信するリマインダーソフトウェアユニット２１を含む。【選択図】図１
0003218804.tif 000002
【実用新案登録請求の範囲】
【請求項１】
ステッカー、少なくとも１つの手持ち式装置及びクラウドサーバー設備を備えた、ホームデバイスの消耗品の管理システムであって、
前記ステッカーは、離型紙及びステッカー本体を有し、前記離型紙上には、アクティベートラベルが設けられ、前記アクティベートラベルは、前記ステッカー本体により覆われ、前記ステッカー本体は、ＮＦＣ回路を有し、定期的に交換しなければならない消耗品又は定期的に洗浄しなければならないホームデバイスに前記ステッカー本体を貼り付け、
前記手持ち式装置は、前記クラウドサーバー設備と通信するリマインダーソフトウェアユニットを含み、
前記リマインダーソフトウェアユニットは、インタフェース管理モジュール、識別認証モジュール、デバイス基本設定モジュール、アラーム時限設定モジュール、アラーム方式設定モジュール、アラームモード設定モジュール及びデバイスファイル生成アップロードモジュールを含み、
前記インタフェース管理モジュールは、少なくとも１つの操作インタフェースを提供し、
前記識別認証モジュールは、前記インタフェース管理モジュールと接続され、前記操作インタフェース上で少なくとも１つの前記アクティベートラベルを入力又は走査し、前記手持ち式装置により前記ステッカー本体を走査した後、前記ＮＦＣ回路から伝送されたＮＦＣデータを得て、前記識別認証モジュールは、前記ＮＦＣデータが前記アクティベートラベルの内容と同じか否かを判断し、
前記デバイス基本設定モジュールは、前記インタフェース管理モジュール及び前記識別認証モジュールと接続され、前記識別認証モジュールにおいて前記ＮＦＣデータが前記アクティベートラベルの内容と同じであると判断すると、前記操作インタフェース上で少なくとも１つの基本設定データが入力され、
前記アラーム時限設定モジュールは、前記インタフェース管理モジュール及び前記デバイス基本設定モジュールと接続され、少なくとも１つのアラーム時限データを入力又は選択し、
前記アラーム方式設定モジュールは、前記インタフェース管理モジュール及び前記デバイス基本設定モジュールと接続され、少なくとも１つのアラーム方式データを入力又は選択し、
前記アラームモード設定モジュールは、前記インタフェース管理モジュール及び前記デバイス基本設定モジュールと接続され、少なくとも１つのアラームモードデータを入力又は選択し、
前記デバイスファイル生成アップロードモジュールは、前記デバイス基本設定モジュール、前記アラーム時限設定モジュール、前記アラーム方式設定モジュール及び前記アラームモード設定モジュールと接続され、
前記デバイスファイル生成アップロードモジュールは、前記基本設定データ、前記アラーム時限データ、前記アラーム方式データ及び前記アラームモードデータによりＮＦＣデバイス設定ファイルを構築し、前記ＮＦＣデバイス設定ファイルをアップロードし、
前記クラウドサーバー設備は、前記リマインダーソフトウェアユニットと通信するとともに、少なくとも１つの前記ＮＦＣデバイス設定ファイルを受信して記憶する記憶ユニットを含み、
前記ＮＦＣデバイス設定ファイルは、前記基本設定データ、前記アラーム時限データ、前記アラーム方式データ及び前記アラームモードデータを含み、
時限判断ユニットは、前記記憶ユニットと接続され、前記アラーム時限データに基づいて前記ホームデバイスの消耗品が交換時期又は洗浄時期に達したか否かを判断し、
メッセージアラームユニットは、前記時限判断ユニットと接続され、設定時間に達した場合、前記手持ち式装置へ交換又は洗浄のメッセージを送信することを特徴とする、
ホームデバイスの消耗品の管理システム。
【請求項２】
前記アクティベートラベルは、符号ラベル又はバーコードラベルであり、前記符号ラベルは、文字、符号又は／及び数字の組合せであり、前記バーコードラベルは、ＱＲコード（登録商標）であることを特徴とする、請求項１に記載のホームデバイスの消耗品の管理システム。
【請求項３】
前記メッセージアラームユニットは、携帯電話のショートメッセージ又は電子メールの伝送方式で、消耗品を交換又は洗浄するメッセージを前記手持ち式装置へ送信することを特徴とする、請求項１に記載のホームデバイスの消耗品の管理システム。
【考案の詳細な説明】
【技術分野】
【０００１】
本考案は、ホームデバイスの消耗品の管理システムに関し、特に、ＮＦＣタグシールに携帯電話のソフトウェアを組み合わせ、ホームデバイスの消耗品の監視及び警告を行う、ホームデバイスの消耗品の管理システムに関する。
【背景技術】
【０００２】
ＮＦＣとは、Ｎｅａｒ  Ｆｉｅｌｄ  Ｃｏｍｍｕｎｉｃａｔｉｏｎ（近距離無線通信）の略語であり、２００３年にフィリップ社が開発し、ノキアなどの有名なメーカーが共同で普及させた無線技術のことであり、その後、多くの企業、大学、消費者により汎ヨーロッパ連合が設立された。
ＮＦＣは、非接触ＲＦＩＤ（Ｒａｄｉｏ−Ｆｒｅｑｕｅｎｃｙ  Ｉｄｅｎｔｉｆｉｃａｔｉｏｎ）からなり、センサカードリーダ、センサカードを組み合わせた単一チップを使用するとともに、ポイント・ツー・ポイント機能を利用し、短距離内で一定周波数の範囲で作動する特徴を有する。
【０００３】
そのため、ＮＦＣは、携帯電話と他のＮＦＣデバイス（例えば、携帯電話、ＮＦＣラベル、決済装置）との間で情報通信を行うため、ＮＦＣ機構を介し、ＮＦＣ回路を有するデバイスと携帯電話との間でデータを共有することができる。
【０００４】
ＮＦＣは低価格の特性を有するため、ＮＦＣタグシールをホームデバイスの消耗品のデバイスに取付け、携帯電話のソフトウェアを組み合わせると、ホームデバイスの消耗品の交換時期又は定期的な清掃時期を管理し、その時期に達したときに、携帯電話のソフトウェアを介してその時期に達したことを通知し、消耗品の交換時期又は定期的な清掃時期に達したことをユーザに知らせる。そのため、忘れることを心配する必要がなく、消耗品を交換し忘れたり、長期間清掃し忘れたりすることを防ぐことができる。
【考案の概要】
【考案が解決しようとする課題】
【０００５】
本考案の主な目的は、ＮＦＣタグシールに携帯電話のソフトウェアを組み合わせ、ホームデバイスの消耗品の監視及び警告を行う、ホームデバイスの消耗品の管理システムを提供することにある。
【課題を解決するための手段】
【０００６】
上記課題を解決するために、本考案の第１の形態によれば、ステッカー、少なくとも１つの手持ち式装置及びクラウドサーバー設備を備えた、ホームデバイスの消耗品の管理システムであって、前記ステッカーは、離型紙及びステッカー本体を有し、前記離型紙上には、アクティベートラベルが設けられ、前記アクティベートラベルは、前記ステッカー本体により覆われ、前記ステッカー本体は、ＮＦＣ回路を有し、定期的に交換しなければならない消耗品又は定期的に洗浄しなければならないホームデバイスに前記ステッカー本体を貼り付け、前記手持ち式装置は、前記クラウドサーバー設備と通信するリマインダーソフトウェアユニットを含み、前記リマインダーソフトウェアユニットは、インタフェース管理モジュール、識別認証モジュール、デバイス基本設定モジュール、アラーム時限設定モジュール、アラーム方式設定モジュール、アラームモード設定モジュール及びデバイスファイル生成アップロードモジュールを含み、前記インタフェース管理モジュールは、少なくとも１つの操作インタフェースを提供し、前記識別認証モジュールは、前記インタフェース管理モジュールと接続され、前記操作インタフェース上で少なくとも１つの前記アクティベートラベルを入力又は走査し、前記手持ち式装置により前記ステッカー本体を走査した後、前記ＮＦＣ回路から伝送されたＮＦＣデータを得て、前記識別認証モジュールは、前記ＮＦＣデータが前記アクティベートラベルの内容と同じか否かを判断し、前記デバイス基本設定モジュールは、前記インタフェース管理モジュール及び前記識別認証モジュールと接続され、前記識別認証モジュールにおいて前記ＮＦＣデータが前記アクティベートラベルの内容と同じであると判断すると、前記操作インタフェース上で少なくとも１つの基本設定データが入力され、前記アラーム時限設定モジュールは、前記インタフェース管理モジュール及び前記デバイス基本設定モジュールと接続され、少なくとも１つのアラーム時限データを入力又は選択し、前記アラーム方式設定モジュールは、前記インタフェース管理モジュール及び前記デバイス基本設定モジュールと接続され、少なくとも１つのアラーム方式データを入力又は選択し、前記アラームモード設定モジュールは、前記インタフェース管理モジュール及び前記デバイス基本設定モジュールと接続され、少なくとも１つのアラームモードデータを入力又は選択し、前記デバイスファイル生成アップロードモジュールは、前記デバイス基本設定モジュール、前記アラーム時限設定モジュール、前記アラーム方式設定モジュール及び前記アラームモード設定モジュールと接続され、前記デバイスファイル生成アップロードモジュールは、前記基本設定データ、前記アラーム時限データ、前記アラーム方式データ及び前記アラームモードデータによりＮＦＣデバイス設定ファイルを構築し、前記ＮＦＣデバイス設定ファイルをアップロードし、前記クラウドサーバー設備は、前記リマインダーソフトウェアユニットと通信するとともに、少なくとも１つの前記ＮＦＣデバイス設定ファイルを受信して記憶する記憶ユニットを含み、前記ＮＦＣデバイス設定ファイルは、前記基本設定データ、前記アラーム時限データ、前記アラーム方式データ及び前記アラームモードデータを含み、時限判断ユニットは、前記記憶ユニットと接続され、前記アラーム時限データに基づいて前記ホームデバイスの消耗品が交換時期又は洗浄時期に達したか否かを判断し、メッセージアラームユニットは、前記時限判断ユニットと接続され、設定時間に達した場合、前記手持ち式装置へ交換又は洗浄のメッセージを送信することを特徴とする、ホームデバイスの消耗品の管理システムが提供される。
【０００７】
前記アクティベートラベルは、符号ラベル又はバーコードラベルであり、前記符号ラベルは、文字、符号又は／及び数字の組合せであり、前記バーコードラベルは、ＱＲコード（登録商標）であることが好ましい。
【０００８】
前記メッセージアラームユニットは、携帯電話のショートメッセージ又は電子メールの伝送方式で、消耗品を交換又は洗浄するメッセージを前記手持ち式装置へ送信することが好ましい。
【考案の効果】
【０００９】
本考案のホームデバイスの消耗品の管理システムは、ＮＦＣタグシールに携帯電話のソフトウェアを組み合わせ、ホームデバイスの消耗品の監視及び警告を行うことができる。
【図面の簡単な説明】
【００１０】
【図１】本考案の一実施形態に係るホームデバイスの消耗品の管理システムの全体構成を示す図である。
【図２】本考案の一実施形態に係るホームデバイスの消耗品の管理システムのリマインダーソフトウェアユニットの全体構成を示す図である。
【図３】本考案の一実施形態に係るホームデバイスの消耗品の管理システムのクラウドサーバー設備の全体構成を示す図である。
【図４Ａ】本考案の一実施形態に係るホームデバイスの消耗品の管理システムのステッカーを示す図である。
【図４Ｂ】本考案の一実施形態に係るホームデバイスの消耗品の管理システムのステッカーを引き起こしてアクティベートラベルを表示した説明図である。
【図４Ｃ】本考案の他の実施形態に係るホームデバイスの消耗品の管理システムのステッカーを引き起こしてアクティベートラベルを表示した説明図である。
【図５】本考案の一実施形態に係るホームデバイスの消耗品の管理システムにデバイスを加えたときの状態を示す流れ図である。
【図６Ａ】本考案の一実施形態に係るホームデバイスの消耗品の管理システムにデバイスを加えたときの状態の説明図である。
【図６Ｂ】本考案の一実施形態に係るホームデバイスの消耗品の管理システムにデバイスを加えたときの状態の説明図である。
【図６Ｃ】本考案の一実施形態に係るホームデバイスの消耗品の管理システムにデバイスを加えたときの状態の説明図である。
【図６Ｄ】本考案の一実施形態に係るホームデバイスの消耗品の管理システムにデバイスを加えたときの状態の説明図である。
【図６Ｅ】本考案の一実施形態に係るホームデバイスの消耗品の管理システムにデバイスを加えたときの状態の説明図である。
【図６Ｆ】本考案の一実施形態に係るホームデバイスの消耗品の管理システムにデバイスを加えたときの状態の説明図である。
【図７】本考案の一実施形態に係るホームデバイスの消耗品の管理システムのステッカー本体の使用状態の説明図である。
【図８】本考案の一実施形態に係るホームデバイスの消耗品の管理システムの時限判断及び送信プロセスを示す流れ図である。
【考案を実施するための形態】
【００１１】
本考案の他の技術内容、特徴及び効果については、以下、図面を参照しながら好適な実施例の詳細な説明で明らかにされる。
【００１２】
図１、図２、図３、図４Ａ、図４Ｂ及び図４Ｃを参照する。
図１、図２、図３、図４Ａ、図４Ｂ及び図４Ｃに示すように、本考案の一実施形態に係るホームデバイスの消耗品の管理システムは、少なくともステッカー１、手持ち式装置２及びクラウドサーバー設備３から構成される。図４Ａに示すように、ステッカー１は、離型紙１１と、離型紙１１上に貼ったステッカー本体１２と、を含む。
図４Ｂに示すように、離型紙１１上には、アクティベートラベル１１１が設けられる。アクティベートラベル１１１は、符号ラベル（符号ラベルは、文字、符号又は／及び数字の組合せである）又はバーコードラベル（バーコードラベルは、ＱＲコード又は二次元バーコードである）である。アクティベートラベル１１１は、ステッカー本体１２により覆われ、ステッカー本体１２を引き裂くとアクティベートラベル１１１を見ることができる。ステッカー本体１２上には、ＮＦＣ回路１２１が設けられるとともに、離型紙１１上に数枚のステッカー本体１２を貼り付けて覆う。
図４Ｃに示すように、引き裂いたステッカー本体１２下に表示されるアクティベートラベル１１１はＱＲコードである。
【００１３】
手持ち式装置２は、リマインダーソフトウェアユニット２１を有する。手持ち式装置２は、スマートフォン又はタブレットＰＣでもよい。リマインダーソフトウェアユニット２１は、インタフェース管理モジュール２１１、識別認証モジュール２１２、デバイス基本設定モジュール２１３、アラーム時限設定モジュール２１４、アラーム方式設定モジュール２１５、アラームモード設定モジュール２１６及びデバイスファイル生成アップロードモジュール２１７を含む。
インタフェース管理モジュール２１１は、少なくとも１つの操作インタフェースを提供し、識別認証モジュール２１２は、上述した操作インタフェースを介して少なくとも１つのアクティベートラベルを入力又は走査し、手持ち式装置２によりステッカー本体１２を走査した後、ＮＦＣ回路から伝送されたＮＦＣデータが得られる。識別認証モジュール２１２は、ＮＦＣデータがアクティベートラベルの内容と同じか否かを判断する。
【００１４】
デバイス基本設定モジュール２１３は、識別認証モジュール２１２においてＮＦＣデータがアクティベートラベル１１１の内容と同じであると判断すると、操作インタフェースで少なくとも１つの基本設定データを入力する。
【００１５】
アラーム時限設定モジュール２１４は、少なくとも１つのアラーム時限データを入力又は選択する。アラーム方式設定モジュール２１５は、少なくとも１つのアラーム方式データを入力又は選択する。アラームモード設定モジュール２１６は、少なくとも１つのアラームモードデータを入力又は選択する。
【００１６】
デバイスファイル生成アップロードモジュール２１７は、基本設定データ、アラーム時限データ、アラーム方式データ及びアラームモードデータによりＮＦＣデバイス設定ファイルを構築し、ＮＦＣデバイス設定ファイルをクラウドサーバー設備３へアップロードする。
【００１７】
クラウドサーバー設備３は、記憶ユニット３１、時限判断ユニット３２及びメッセージアラームユニット３３を含む。記憶ユニット３１は、少なくとも１つのＮＦＣデバイス設定ファイルを受信して記憶する。ＮＦＣデバイス設定ファイルは、基本設定データ、アラーム時限データ、アラーム方式データ及びアラームモードデータを含む。
【００１８】
時限判断ユニット３２は、アラーム時限データに基づいてホームデバイスの消耗品が交換時期又は清掃時期に達したか否かを判断し、もし達したと判断した場合、メッセージアラームユニット３３により手持ち式装置２へ携帯電話のショートメッセージを自動的に送信するか、電子メール（Ｅ−ｍａｉｌ）を送信する。もし電子メールを送信する場合、手持ち式装置２の他、その他電子メールを読取ることができるデバイスで受信してもよい。
【００１９】
デバイスを新たに増やす場合、そのステップは図５に示すように、以下（１）〜（４）のステップを含む。
【００２０】
（１）ＮＦＣデバイスを新たに増やす場合（ステップ５０１）、まず、新たな機能が起動されたか否かを判断する（ステップ５０２）、もし無いと判断した場合、もう一つのフローＡ５０３に進み、もし有ると判断した場合、ＮＦＣキイを入力する（アクティベートラベル）（ステップ５０４）。
【００２１】
（２）その後、ステッカー本体を走査し、ＮＦＣ回路が伝送するＮＦＣデータを得た後（ステップ５０５）、ＮＦＣデータがアクティベートラベルの内容と同じか否かを判断する（ステップ５０６）。もし同じでないと判断した場合、リマインダーソフトウェアユニット２１の操作インタフェース２１１１上に入力が間違っているなどのメッセージを表示する（ステップ５０７）。
【００２２】
（３）ＮＦＣデータとアクティベートラベルの内容とが同じであると判断した場合、デバイスの名称、デバイスの説明及びデバイスの位置の内容の入力を開始した後（ステップ５０８）、続けて、アラーム時限の入力（ステップ５０９）、アラーム方式の入力（ステップ５１０）及びアラームモードの入力（ステップ５１１）に進む。
【００２３】
（４）最後に、入力データが正確であるか否かを判断する（ステップ５１２）。もし正確でないと判断した場合、リマインダーソフトウェアユニット２１の操作インタフェース２１１１上に、入力したデータが不正確であるなどのメッセージを表示する（ステップ５１３）。もし正確であると判断した場合、操作インタフェース２１１１上に入力データが正確であるなどのメッセージを表示し、ローカルホストデータベース（リマインダーソフトウェアユニット２１内に記憶したデータ）を更新する（ステップ５１４）。
【００２４】
図６Ａ及び図６Ｂを参照する。図６Ａ及び図６Ｂに示すように、リマインダーソフトウェアユニット２１の操作インタフェース２１１１上でアクティベートラベルをユーザが入力又は走査し、ステッカー本体を走査し、ＮＦＣ回路が伝送するＮＦＣデータを得た後、ＮＦＣデータがアクティベートラベルの内容と同じか否かを判断する。
【００２５】
もし同じであると判断した場合、図６Ｃ〜図６Ｆに示すように、ユーザが基本設定データ（そのデータには、写真データ又は動画データが含まれる）、アラーム時限データ、アラーム方式データ、アラームモードデータを入力する。アラーム方式データは、携帯電話で送信するか電子メールで送信し、設定が完了した後、基本設定データ、アラーム時限データ、アラーム方式データ及びアラームモードデータによりＮＦＣデバイス設定ファイルを構築し、ＮＦＣデバイス設定ファイルをクラウドサーバー設備３へアップロードする。
【００２６】
また、既に設定したＮＦＣデバイスをクラウドサーバー設備３へアップロードする以外に、リマインダーソフトウェアユニット２１中にファイルが記憶されるため、ユーザは設定ファイルの内容を開いて修正し、修正が完了した設定ファイルを再びアップロードして古い設定ファイルと交換してもよい。
【００２７】
図７を参照する。図７に示すように、ユーザがステッカー本体１２をホームデバイス４の消耗品上に貼った後、リマインダーソフトウェアユニット２１を介してアラーム時限を管理するが、この管理ステップを図８のステップ（１）〜（４）に示す。
【００２８】
（１）アプリを開いた後（ステップ８０１）、まず、インターネットに接続しているか否かを判断する（ステップ８０２）。図５のステップ５０３でも、インターネットに接続しているか否かを判断する（ステップ８０２）。もし無いと判断した場合、リマインダーソフトウェアユニット２１が行うステップがあるか否かを判断する（ステップ８０８）。もし無いと判断した場合、インターネットに接続されているか否かの判断を行うステップへ戻る。
【００２９】
（２）インターネットに接続していると判断した場合、ローカルホストデータベース（設定ファイル）をクラウドサーバー設備にアップロードした後（ステップ８０３）、クラウドサーバー設備によりローカルホストデータベース（設定ファイル）が更新されたか否かを判断する（ステップ８０４）。もし更新していない場合、設定時間が期限に達したか否かを判断する（ステップ８０６）。もし更新している場合、クラウドサーバー設備内に記憶したデータを更新し（ステップ８０５）、クラウドサーバー設備により設定時間が期限に達したか否かを判断する（ステップ８０６）。
【００３０】
（３）続いて、設定時間が期限に達していないと判断すると、ステップ８０８へ進み、設定時間が期限に達したと判断すると、設定に基づいてメッセージを送信する（ステップ８０７）。
【００３１】
（４）最後に、ステップ８０８へ進み、メッセージを送信する機能を有するか否かを判断し、もし無いと判断した場合、ステップ８０２へ戻り、もし有ると判断した場合、アプリ機能を起動してステップ８０９を行い、完了した後にステップ８０２へ戻って作業を繰り返す。
【００３２】
上述したことから分かるように、本考案のホームデバイスの消耗品の管理システムは、従来技術と比べ、以下（１）及び（２）の長所を有する。
【００３３】
（１）ＮＦＣタグシールをホームデバイスに結合して携帯電話のソフトウェアを組み合わせ、消耗品を管理するか定期的に清掃する時間が期限に達すると、携帯電話のソフトウェアにより期限が達したことをユーザに通知して交換又は洗浄を行う。
【００３４】
（２）ホームデバイスの消耗品の交換又は定期的に清掃することをユーザに知らせるため（例えば、浄水器のフィルターの交換又はエアコンのフィルタスクリーンの洗浄）、消耗品を交換し忘れたり長期間洗浄し忘れたりすることを防ぐ。
【００３５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１  ステッカー
２  手持ち式装置
３  クラウドサーバー設備
４  ホームデバイス
１１  離型紙
１２  ステッカー本体
２１  リマインダーソフトウェアユニット
３１  記憶ユニット
３２  時限判断ユニット
３３  メッセージアラームユニット
１１１  アクティベートラベル
１２１  ＮＦＣ回路
２１１  インタフェース管理モジュール
２１２  識別認証モジュール
２１３  デバイス基本設定モジュール
２１４  アラーム時限設定モジュール
２１５  アラーム方式設定モジュール
２１６  アラームモード設定モジュール
２１７  デバイスファイル生成アップロードモジュール
２１１１  操作インタフェース
【図１】
0003218804.tif 000003
【図２】
0003218804.tif 000004
【図３】
0003218804.tif 000005
【図４Ａ】
0003218804.tif 000006
【図４Ｂ】
0003218804.tif 000007
【図４Ｃ】
0003218804.tif 000008
【図５】
0003218804.tif 000009
【図６Ａ】
0003218804.tif 000010
【図６Ｂ】
0003218804.tif 000011
【図６Ｃ】
0003218804.tif 000012
【図６Ｄ】
0003218804.tif 000013
【図６Ｅ】
0003218804.tif 000014
【図６Ｆ】
0003218804.tif 000015
【図７】
0003218804.tif 000016
【図８】
0003218804.tif 000017